(57)【要約】【課題】内部に集塵した塵埃を、手を汚すことなく、簡単に廃棄できる、使い勝手のよい集塵容器を提供すること。【解決手段】塵埃を捕集する集塵室１３と、集塵室１３に設けられた塵埃排出用の開口部１４と、開口部１４を開閉自在に覆う蓋体１５と、集塵室１３内で捕集した塵埃を押し出すための押し出し板２２と、押し出し板２２を操作する操作部１８を備え、押し出し板２２の外周に、集塵室１３内壁に対し略平行且つ前記内壁に隣接して形成した外周リブ２５を設けた集塵容器としたもので、ごみ捨て時には、操作部１８で押し出し板２２を操作すると、外周リブ２５が集塵室１３奥に捕集された塵埃を囲んで押し出すため、集塵室１３内に捕集された塵埃を残さず開口部１４方向へ押し出すことができ、内部に集塵したごみを、手を汚すことなく簡単に廃棄できる、使い勝手を向上した集塵容器を提供できる。【選択図】図５
2007061467.tif 000002
【特許請求の範囲】
【請求項１】
塵埃を捕集する集塵室と、前記集塵室に設けられた塵埃排出用の開口部と、前記開口部を開閉自在に覆う蓋体と、前記集塵室内で捕集した塵埃を押し出す押し出し板と、前記押し出し板を操作する操作部とを備え、前記押し出し板の外周に、前記集塵室の内壁に対し略平行且つ隣接した外周リブを形成した集塵容器。
【請求項２】
集塵室内壁に窓部を形成すると共に、前記窓部の端部が、外周リブの先端部と同一あるいは前記外周リブと重なるように設けた請求項１記載の集塵容器。
【請求項３】
外周リブの先端部を凹凸状に形成し、前記凹部を窓部と重なる位置に設けた請求項２記載の集塵容器。
【請求項４】
外周リブに形成した凹部の形状を略台形状とした請求項３に記載の集塵容器。
【請求項５】
請求項１〜４のいずれか１項に記載の集塵容器を備えた電気掃除機。
【発明の詳細な説明】
【技術分野】
【０００１】
本発明は電気掃除機本体に装着される集塵容器およびこの集塵容器を有する電気掃除機に関するものである。
【背景技術】
【０００２】
従来のこの種の電気掃除機としては、掃除機本体に着脱自在に装着されると共に塵埃を捕集する集塵容器を備え、その集塵容器に開閉自在の蓋を設け、その蓋を開けて集塵容器内に蓄積した塵埃を廃棄するようにしたものが有る（例えば、特許文献１参照）。
【特許文献１】特開２００４−１２１７２２号公報
【発明の開示】
【発明が解決しようとする課題】
【０００３】
しかしながら、上記のような電気掃除機の構成では、集塵容器内のごみがぎっしりと入った場合や、綿ごみや軽いごみの場合など、蓋を開いてもその塵埃が、集塵容器から落ちることなく溜まる時があり、その時は、素手或いはお箸などでごみを引きずりださなければならず、不衛生で、且つ非常に手間がかかるという課題があった。
【０００４】
本発明は上記課題を解決するもので、集塵容器内のごみを、手を汚すことなく、簡単に廃棄できる、使い勝手のよい集塵容器およびこれを具備した電気掃除機を提供することを目的とする。
【課題を解決するための手段】
【０００５】
上記従来の課題を解決するために、本発明の集塵容器は、塵埃を捕集する集塵室と、前記集塵室に設けられた塵埃排出用の開口部と、前記開口部を開閉自在に覆う蓋体と、前記集塵室内で捕集した塵埃を押し出す押し出し板と、前記押し出し板を操作する操作部を備え、前記押し出し板の外周に、前記集塵室内壁に対し略平行且つ前記内壁に隣接して形成した外周リブを備えたもので、ごみ捨て時には、操作部で押し出し板を操作すると、外周リブが集塵室奥に捕集された塵埃を囲んで押し出す為、集塵室内に捕集された塵埃を残さず開口部方向へ押し出すことができるので、集塵容器内に、ごみがぎっしりと詰まった場合や、綿ごみや軽いごみの場合など、蓋を開いてもその塵埃が、集塵容器から落ちることなく溜まった時でも、集塵容器内のごみを、手を汚すことなく、簡単に廃棄できる、使い勝手のよい集塵容器を提供するものである。
【発明の効果】
【０００６】
本発明によれば、集塵容器内のごみを、手を汚すことなく、簡単に廃棄できる、使い勝手のよい集塵容器およびこれを具備した電気掃除機を提供することができる。
【発明を実施するための最良の形態】
【０００７】
第１の発明は、塵埃を捕集する集塵室と、前記集塵室に設けられた塵埃排出用の開口部と、前記開口部を開閉自在に覆う蓋体と、前記集塵室内で捕集した塵埃を押し出す押し出し板と、前記押し出し板を操作する操作部を備え、前記押し出し板の外周に、前記集塵室内壁に対し略平行且つ前記内壁に隣接して形成した外周リブを備えたもので、ごみ捨て時には、操作部で押し出し板を操作すると、外周リブが集塵室奥に捕集された塵埃を囲んで押し出す為、集塵室内に捕集された塵埃を残さず開口部方向へ押し出すことができるので、集塵容器内のごみを、手を汚すことなく、簡単に廃棄でき、使い勝手を向上できる。
【０００８】
第２の発明は、特に第１の発明に加えて、集塵室内壁に窓部を形成し、その端部が外周リブ先端部と同一、或いは外周リブと重なるように設けたもので、押し出し板近傍の集塵室の奥まで吸引力がかかる為、押し出し板に隙間なく塵埃が溜まり、ごみ捨て時に効率よく押し出すことができるので、集塵容器内のごみを、手を汚すことなく、簡単に廃棄でき、使い勝手を向上できる。さらに、窓部面積を最大限に広くできるので、フィルターの目詰まりによる吸引力の低下を抑制することができ、多くの塵埃を捕集することができる。
【０００９】
第３の発明は、特に第２の発明の外周リブの先端部を、凹凸状に形成し、凹部を窓部と重なる位置に形成したもので、凹部を形成した分の面積が窓部の面積に追加されるので、フィルターの目詰まりによる吸引力の低下を抑制することができ、より多くの塵埃を捕集することができる。
【００１０】
第４の発明は、特に第３の発明の外周リブに形成した凹部を、略台形状に形成したもので、凹部に堆積した塵埃は、押し出し板の移動に伴い、押し出し方向だけでなく、略台形状に形成された凹部の傾斜部により斜め方向にも押し出される為、集塵室内壁から容易に剥離し、集塵室内に捕集された塵埃を残さず開口部方向へ押し出すことができるので、集塵容器内のごみを、手を汚すことなく、簡単に廃棄でき、使い勝手を向上できる。
【００１１】
第５の発明は、第１〜第４のいずれか１つの発明の集塵容器を備えた電気掃除機としたもので、集塵室内に捕集された塵埃を残さず開口部方向へ押し出すことができるので、集塵容器内のごみを、手を汚すことなく、簡単に廃棄でき、電気掃除機としての使い勝手を向上できる。
【００１２】
以下、本発明の実施の形態について、図面を参照しながら説明する。なお、この実施の形態により本発明が限定されるものではない。
【００１３】
（実施の形態１）
本発明の実施の形態１における集塵容器及びこれを搭載した電気掃除機について図１、図２を用いて説明する。
【００１４】
図１は本実施の形態における集塵容器を搭載した電気掃除機の全体斜視図、図２は同掃除機本体の中央断面図を示す。図１、図２において、掃除機本体１は、吸引風を発生させる電動送風機２と、電動送風機２の吸引風の上流側に着脱自在で塵埃を捕集する集塵容器３を備え、集塵容器３は集塵容器収納部４に収納される。さらに集塵容器３の上流側には、塵埃が流入する本体吸気口５を備え、本体吸気口５にはホース６の一端が接続され、他端には延長管７を介して床用吸込み口８を接続している。
【００１５】
次に図３〜図９を用いて集塵容器３の詳細について説明する。
【００１６】
集塵容器３は、集塵容器本体９と、集塵容器３の外郭の一部を形成すると共に持ち運び用の把手部１０を形成するカバー体１１と、集塵容器本体９の後方開口部に着脱自在に装着されるフィルターユニット１２から構成されている。
【００１７】
集塵容器本体９は、塵埃を捕集するための集塵室１３を備え、集塵室１３は塵埃を排出するための開口部１４を備えている。さらに、集塵容器本体９には開口部１４を開閉自在に覆う蓋体１５が軸支されており、蓋体１５はバネ体１６により閉方向に付勢されている。さらに、集塵容器本体９は蓋体１５を閉状態に保持する尾錠１７と、蓋体１５を開状態にする操作部１８を備えており、操作部１８は操作部バネ１９により上方向に付勢されている。また、操作部１８には、尾錠１７の回動を操作する尾錠操作部２０を一体に形成している。
【００１８】
一方、集塵室１３は側壁を形成する集塵部２１と天面を形成する押し出し板２２とで構成されている。集塵部２１は側壁全てに吸気通路となる窓部２３を、窓部２３には塵埃を捕集するメッシュ状のフィルター２４を一体に形成し、側壁は開口部１４が広くなるように傾斜して形成している。
【００１９】
押し出し板２２は、外周に集塵部２１内壁に対し略平行、且つ集塵部２１内壁に隣接した外周リブ２５を形成し、外周リブ２５の先端部を凹凸状に形成すると共に、凹部２６を窓部２３と重なる位置に略台形状に形成している。また、集塵部２１に形成した窓部２３は、その上端部が外周リブ２５と重なるように形成している。
【００２０】
押し出し板２２に形成した押し出し板連結部２７と、操作部１９に形成した操作部連結部２８は、約５ｍｍのストロークがフリーな状態で連結しており、押し出し板２２と操作部１９は連動して動作する。また、押し出し板２２は、材質がＳＵＳでメッシュ状のメッシュフィルター２９を備え、塵埃を捕集する。さらに、天面外周の集塵部２１との間の位置にごみ漏れを防止するごみタイトパッキン３０を有し、集塵容器本体９の負圧部内面３１との間の位置に空気漏れを防止するエアータイトパッキン３２を備えている。
【００２１】
また、操作部１８と連動し上下に摺動可能で、操作部１８の下部空間ならびに摺動後の上部空間を遮蔽する遮蔽板３３を備え、さらに遮蔽板３３の下部には遮蔽板３３の摺動位置を規制する規制体３４を備えている。
【００２２】
以上のように構成された電気掃除機について、以下その動作、作用を説明する。
【００２３】
掃除機本体１の運転を開始すると、電動送風機２が運転して吸引力が発生し、塵埃を含んだ空気が、床用吸込み口８から吸い込まれ、延長管７およびホース６、本体吸気口５を通り、集塵室１３に入る。集塵室１３ではフィルター２４、ならびにメッシュフィルター２９により塵埃と空気が分離され、塵埃は集塵室１３内で捕集され堆積していく。
【００２４】
また、フィルター２４ならびにメッシュフィルター２９を通過した空気中に含まれる微細塵は、フィルターユニット１２により捕集される。
【００２５】
この時、集塵室１３の側壁全てには、フィルター２４を一体に形成した窓部２３を、上端が押し出し板２２の外周リブ２５と重なるように設けているため、フィルターの面積が広く、フィルターの目詰まりによる吸引力の低下を抑制することができ、多くの塵埃を捕集することができる。さらに、押し出し板２２にもメッシュフィルター２９を設けているので、フィルターの総面積をより広くでき、フィルターの目詰まりによる吸引力の低下をさらに抑制することができ、使い勝手を向上できる。
【００２６】
次に、捕集した塵埃を排出する際には、操作部１８を下方向に押すと、尾錠操作部２０を介して尾錠１７が開方向に回動して蓋体１５の係止を解除し、蓋体１５がバネ体１６の付勢力により開く。この時、塵埃が集塵室１３内にぎっしり詰まった状態では、塵埃は重力のみでは下方向に落ちず、集塵室１３内に溜まった状態のままである。
【００２７】
さらに操作部１８を下方向に押すと、操作部１８に連動して押し出し板２２も下方向に動作し、塵埃を押し出して開口部１４より排出できるため、集塵容器３内の塵埃を、手を汚すことなく、簡単に廃棄できる。この時、蓋体１５を開く操作部１８は押し出し板２２と連動しているため、蓋体１５を開く操作と、押し出し板２２の塵埃を押し出す操作が分かれていることを意識することなく、一連の操作で簡単に塵埃を廃棄することができる。
【００２８】
また、押し出し板２２は、外周に集塵部２１内壁に対し略平行、且つ集塵部２１内壁に隣接した外周リブ２５を形成し、外周リブ２５の先端部を凹凸状に形成すると共に、凹部２６を窓部２３と重なる位置に略台形状に形成しているので、ごみ捨て時には、操作部１８で押し出し板２２を操作すると、外周リブ２５が集塵室１３奥に捕集された塵埃を囲んで押し出し、凹部２６に堆積した塵埃は、押し出し板２２の移動に伴い、押し出し方向だけでなく、略台形状に形成された凹部２６の傾斜部により斜め方向にも押し出される為、塵埃は集塵室１３内壁から容易に剥離し、集塵室１３内に捕集された塵埃を残さず開口部１４方向へ押し出すことができ、集塵容器３内の塵埃を、手を汚すことなく、簡単に廃棄できる。
【００２９】
また、フィルター２４を一体に形成した窓部２３を、上端が押し出し板２２の外周リブ２５と重なるように設けているため、押し出し板２２近傍の集塵室１３の奥まで吸引力がかかる為、押し出し板２２に隙間なく塵埃が溜まり、ごみ捨て時に効率よく押し出すことができ、集塵容器３内の塵埃を、手を汚すことなく、簡単に廃棄できる。
【００３０】
尾錠操作部２０は、操作部１８を約５ｍｍ下方向に動作させると、尾錠１７が蓋体１５の係止を解除する角度設定としており、押し出し板連結部２７と操作部連結部２８は約５ｍｍのストロークがフリーな状態で連結されているため、操作部１８を約５ｍｍ操作した時には押し出し板２２は動作せず、先に蓋体１５が開いた後、押し出し板２２により塵埃を押し出して排出する構成としている。そのため、蓋体１５が開く前に塵埃を押すことがなく、塵埃がぎっしり詰まった状態においても、押し出し板２２が、蓋体１５が閉まったままの塵埃にあたり操作部１８を下方向に操作できないといったことがないため、より確実に塵埃を排出でき、使い勝手を向上できる。
【００３１】
また、集塵室１３の天面を押し出し板２２により構成しているため、集塵室１３の天面と押し出し板２２を別々に構成した場合と比較し、集塵室１３の天面と押し出し板２２による二重壁を防止し構造を簡単にでき、また、集塵室１３の天面と押し出し板２２の間に塵埃が挟み込むことがなく、より確実に全ての塵埃３５を排出できるため、使い勝手を向上できる。
【００３２】
また、ごみタイトパッキン３０により、塵埃を吸引時に集塵部２１と押し出し板２２の間の隙間から、塵埃が集塵室１３の外に漏れるの確実に防止できるため、使い勝手を向上できる。
【００３３】
さらに、押し出し板２２のメッシュフィルター２９はＳＵＳによる金属で構成されているため、押し出し板２２により塵埃を押し出す際に、異物等によるフィルターの破れを防止し、耐久性を向上できる。
【００３４】
さらに、エアータイトパッキン３２により、正圧側の操作部１８から押し出し板２２の操作を行う際に、負圧側と正圧側の連結部分の空気の漏れを防止でき、集塵容器本体９内の負圧ならびに吸引力を向上できるため、使い勝手を向上できる。
【００３５】
それに加え、エアータイトパッキン３２は押し出し板２２に備えられているため、集塵容器本体９内を負圧にする必要のある塵埃吸引時には、エアータイトパッキン３２により空気の漏れを防止でき、集塵容器本体９内を負圧にする必要のない塵埃廃棄時には、エアータイトパッキン３２は押し出し板２２と共に移動するため、エアータイトパッキン３２と押し出し板２２の間の摩擦抵抗がなく、押し出し板２２の操作力を軽減でき、またエアータイトパッキン３２の磨耗も防止することができる。
【００３６】
さらに、塵埃を廃棄後、操作部１８から手を離し、押すのを止めると、操作部１８ならびに押し出し板２２は、操作部バネ１９により元の状態に自動的に戻る。
【００３７】
一方、遮蔽板３３は、操作部１８の操作前は下部空間を遮蔽し、操作後は上部空間を遮蔽することにより、下部空間ならびに上部空間への異物の入り込みを防止して、操作部１８が引っ掛かることもなく、操作を確実に行うことができる。さらに空間による穴部もなくなり外観性も向上できる。また、遮蔽板３３は、操作部１８が下方向に摺動し下部空間が無くなった際には、規制体３４に当接して摺動が止まり、操作部１８に対しては上方向に摺動可能なため、操作部１８と遮蔽板３３を一体に構成して操作部１８により空間を遮蔽したものと比較し、遮蔽板３３の移動距離は小さくなり、製品全体の大きさも小さくできるため、使い勝手を向上できる。
【産業上の利用可能性】
【００３８】
以上のように、本発明にかかる集塵容器は、集塵容器内のごみを、手を汚すことなく、簡単に廃棄でき、使い勝手を向上できるので、着脱自在の集塵容器を有する家庭用、業務用電気掃除機に特に有用である。
【図面の簡単な説明】
【００３９】
【図１】本発明の実施の形態１における電気掃除機の全体斜視図
【図２】同電気掃除機の掃除機本体の中央断面図
【図３】同電気掃除機の集塵容器の全体斜視図
【図４】同電気掃除機の集塵容器の蓋体を開状態にした全体斜視図
【図５】同電気掃除機の集塵容器の中央断面図
【図６】同電気掃除機の集塵容器のカバー体を取り外した状態の全体斜視図
【図７】同電気掃除機の集塵容器の主要部品の断面斜視図
【図８】同電気掃除機の集塵容器の集塵室の要部断面図
【図９】同電気掃除機の集塵容器の集塵室の要部断面図
【符号の説明】
【００４０】
１３  集塵室
１４  開口部
１５  蓋体
１８  操作部
２２  押し出し板
２３  窓部
２５  外周リブ
２６  凹部
【図１】
2007061467.tif 000003
【図２】
2007061467.tif 000004
【図３】
2007061467.tif 000005
【図４】
2007061467.tif 000006
【図５】
2007061467.tif 000007
【図６】
2007061467.tif 000008
【図７】
2007061467.tif 000009
【図８】
2007061467.tif 000010
【図９】
2007061467.tif 000011